(57)【要約】【課題】１台の検定試験台で単相２線式電力量計、単相３線式電力量計、および三相３線式電力量計のいずれにも対応でき、結線作業および検定試験台の運用を効率化することができる電力量計用結線器を提供する。【解決手段】電力量計用結線器１０は、固定ケース４０と、電源側端子２１ａ−２１ｇと連結端子２２ａ−２２ｇとを有する移動ケース２０と、移動ケース２０上に設けられ、試験用端子３１ａ−３１ｇを有する上部ケース３０とを備えている。また上部ケース３０は、ガイド機構１１に沿って固定ケース４０に対して移動自在である。固定ケース４０の端子部４１ａ−４１ｇは、連結端子２２ａ−２２ｇに当接可能であるとともに、ケーブル１４を介して試験用端子３１ａ−３１ｇに接続されている。試験用端子３１ａ−３１ｇは、電力量計１の種類に応じて電力量計１の外部端子２と当接可能にそのピッチが定められている。【選択図】図２
0003131448.tif 000002
【実用新案登録請求の範囲】
【請求項１】
複数の外部端子を有する電力量計と試験装置の電源側とを結線する電力量計用結線器において、
検定試験台に設置された固定ケースと、
電源側端子とこの電源側端子に接続された連結端子とを有する移動ケースと、
移動ケース上に設けられるとともにガイド機構を介して固定ケースに連結され、電力量計の外部端子に対応する試験用端子を有する上部ケースとを備え、
上部ケースは、ガイド機構に沿って固定ケースに対して移動自在であり、
固定ケースは、連結端子に当接する端子部を有し、かつ端子部と試験用端子とがケーブルにより接続され、
試験用端子は、電力量計の種類に応じて電力量計の外部端子と当接可能にそのピッチが定められていることを特徴とする電力量計用結線器。
【請求項２】
上部ケースにガイドピンが設けられ、移動ケースに上部ケースのガイドピンを挿入可能なガイド孔が形成され、
上部ケースおよび固定ケースは、移動ケースに対して着脱可能となっていることを特徴とする請求項１に記載の電力量計用結線器。
【請求項３】
ガイド機構は、シャフトと、シャフト周囲に配置されたバネとを有していることを特徴とする請求項１または２に記載の電力量計用結線器。
【考案の詳細な説明】
【技術分野】
【０００１】
本考案は、複数の外部端子を有する電力量計と試験装置の電源側とを結線する電力量計用結線器に係り、とりわけ１台の電力量計用の検定試験台で単相２線式電力量計、単相３線式電力量計、および三相３線式電力量計のいずれにも対応できる電力量計用結線器に関する。
【背景技術】
【０００２】
従来より、試験装置を用いて電力量計が所定の規格を満たしているかを検査する性能試験（検定試験）が行なわれている。このような性能試験を行なう場合、試験装置の電源側の接続導線と電力量計の各外部端子とを結線する必要がある。この際、電力量計を検定試験台上に設置し、検定試験台に取付けられた結線器（以下従来型結線器ともいう）を介して試験装置の電源側の接続導線と電力量計の各外部端子とを接続する。
【０００３】
次に、図７を用いて従来型結線器の構成について説明する。図７に示すように、従来型結線器５０は、例えば合成樹脂などの非導電性材料からなるブロック５１と、ブロック５１の一側面側に突出するとともに電源側の接続導線が接続される複数の電源側端子５２ａ−５２ｇとを有している。また各電源側端子５２ａ−５２ｇに、電力量計の各外部端子に当接する連結端子５３ａ−５３ｇがそれぞれ接続されている。ここで、連結端子５３ａ−５３ｇは、それぞれ１Ｌ端子（符号５３ａ）、Ｐ２端子（符号５３ｂ）、３Ｌ端子（符号５３ｃ）、３Ｓ端子（符号５３ｄ）、Ｐ３端子（符号５３ｅ）、Ｐ１端子（符号５３ｆ）、および１Ｓ端子（符号５３ｇ）に対応している。
【０００４】
このような従来型結線器において、各連結端子の位置や形状などは、測定する電力量計の外部端子数、外部端子の位置、および端子ボックスの幅に応じて予め定められている。したがって、単相２線式電力量計、単相３線式電力量計、および三相３線式電力量計の検定試験を行なう場合、一般に２種類の結線器が必要となる。すなわち、単相２線式電力量計に対応する結線器と、単相３線式電力量計および三相３線式電力量計に対応する結線器（図７参照）とが必要とされる。
【０００５】
このような２種類の結線器に対応した検定試験台をそれぞれ製作することも考えられる。しかしながら、一般に検定試験を行なう電力量計の台数は、電力量計の種類毎に大きくばらつくため、検定試験台の運用が非効率となるおそれがある。
【考案の開示】
【考案が解決しようとする課題】
【０００６】
本考案はこのような点を考慮してなされたものであり、１台の検定試験台で単相２線式電力量計、単相３線式電力量計、および三相３線式電力量計のいずれにも対応でき、結線作業および検定試験台の運用を効率化することができる電力量計用結線器を提供することを目的とする。
【課題を解決するための手段】
【０００７】
本考案は、複数の外部端子を有する電力量計と試験装置の電源側とを結線する電力量計用結線器において、検定試験台に設置された固定ケースと、電源側端子とこの電源側端子に接続された連結端子とを有する移動ケースと、移動ケース上に設けられるとともにガイド機構を介して固定ケースに連結され、電力量計の外部端子に対応する試験用端子を有する上部ケースとを備え、上部ケースは、ガイド機構に沿って固定ケースに対して移動自在であり、固定ケースは、連結端子に当接する端子部を有し、かつ端子部と試験用端子とがケーブルにより接続され、試験用端子は、電力量計の種類に応じて電力量計の外部端子と当接可能にそのピッチが定められていることを特徴とする電力量計用結線器である。
【０００８】
本考案は、上部ケースにガイドピンが設けられ、移動ケースに上部ケースのガイドピンを挿入可能なガイド孔が形成され、上部ケースおよび固定ケースは、移動ケースに対して着脱可能となっていることを特徴とする電力量計用結線器である。
【０００９】
本考案は、ガイド機構は、シャフトと、シャフト周囲に配置されたバネとを有していることを特徴とする電力量計用結線器である。
【考案の効果】
【００１０】
本考案によれば、１台の検定試験台で単相２線式電力量計、単相３線式電力量計、および三相３線式電力量計のいずれにも対応でき、結線作業および検定試験台の運用を効率化することができる。すなわち上部ケースの試験用端子は、電力量計の種類に応じて電力量計の外部端子と当接可能にそのピッチが定められている。したがって、上部ケースおよび固定ケースを電力量計の種類に合わせて交換することにより、１台の検定試験台で効率良く結線作業を行なうことができる。
【００１１】
また、本考案によれば、上部ケースにガイドピンが設けられ、移動ケースに上部ケースのガイドピンを挿入可能なガイド孔が形成されているので、上部ケースおよび固定ケースを移動ケースに対して容易に着脱でき、また上部ケースの試験用端子の位置を電力量計の外部端子の位置に正確に位置決めすることができる。
【００１２】
さらに、本考案によれば、ガイド機構は、シャフトと、シャフト周囲に配置されたバネとを有しているので、検定試験時に上部ケースの試験用端子を電力量計の外部端子に当接されるとともに、検定試験時以外に上部ケースの試験用端子を電力量計の外部端子から離脱させることができる。
【考案を実施するための最良の形態】
【００１３】
以下、本考案の一実施の形態について、図１乃至図６を参照して説明する。
ここで、図１は、本考案の一実施の形態を示す平面図であり、図２は、本考案の一実施の形態を示す側面図である。また図３は、図１のＡ−Ａ線断面図であり、図４は、図１のＢ−Ｂ線断面図である。また図５は、電力量計と電力量計用結線器とが結線された状態を示す概略側面図であり、図６は、本考案の変形例を示す斜視図である。
【００１４】
まず、図１乃至図５により、本実施の形態による電力量計用結線器の概略について説明する。
図５に示すように、電力量計用結線器１０は、複数の外部端子２を有する電力量計１（とりわけ単相３線式電力量計および三相３線式電力量計）と試験装置（図示せず）の電源側とを結線するものである。
【００１５】
すなわち図１乃至図４に示すように、電力量計用結線器１０は、検定試験台４に設置された固定ケース４０と、電源側端子２１ａ−２１ｇとこの電源側端子２１ａ−２１ｇにそれぞれ接続された連結端子２２ａ−２２ｇとを有する移動ケース２０と、移動ケース２０上に設けられ、電力量計１の外部端子２に対応する試験用端子３１ａ−３１ｇを有する上部ケース３０とを備えている。このうち上部ケース３０は、２本のガイド機構１１に沿って固定ケース４０に対して移動自在に設けられている。上部ケース３０および固定ケース４０は、ガイド機構１１を介して一体に構成されており、移動ケース２０に対して着脱可能となっている。
【００１６】
また固定ケース４０は、各連結端子２２ａ−２２ｇに当接する端子部４１ａ−４１ｇを有し、かつ端子部４１ａ−４１ｇと試験用端子３１ａ−３１ｇとがそれぞれケーブル１４により接続されている。
【００１７】
次に、各ケースについて、図１乃至図４を用いて詳細に説明する。
まず、移動ケース２０について説明する。この移動ケース２０は、２箇所のガイド孔２３が形成されている点を除き、上述した従来型結線器５０（図７参照）と同様である。すなわち移動ケース２０は、図１乃至図３に示すように、合成樹脂などの非導電性材料からなる移動ケース本体２５と、移動ケース本体２５の一側面側に突出するとともに電源側の接続導線３が接続される複数の電源側端子２１ａ−２１ｇとを有している。また各電源側端子２１ａ−２１ｇに、移動ケース本体２５の他側面側に突出する連結端子２２ａ−２２ｇがそれぞれ接続されている。また移動ケース２０の移動ケース本体２５の上面２５ａに、後述する上部ケース３０のガイドピン３２を挿入可能な２箇所のガイド孔２３が形成されている。また移動ケース２０に、図示しない押圧機構（後述）が連結されている。
【００１８】
次に、上部ケース３０について説明する。図１乃至図３に示すように、上部ケース３０は、合成樹脂などの非導電性材料からなる上部ケース本体３５と、上部ケース本体３５の一側面側に突出する試験用端子３１ａ−３１ｇとを有している。またケーブル取付部３３ａ−３３ｇは、それぞれ上部ケース本体３５の他側面側に突出するとともに、各試験用端子３１ａ−３１ｇおよび対応する各ケーブル１４に接続されている。この各ケーブル１４は、上部ケース本体３５に形成された貫通孔３６を介して、それぞれ固定ケース４０のケーブル取付部４２ａ−４２ｇ（後述）に接続されている。さらに上部ケース本体３５に、保護カバー３４が取付けられている。
【００１９】
なお、試験用端子３１ａ−３１ｇは、それぞれ電力量計１の外部端子２の１Ｌ端子（符号３１ａ）、Ｐ２端子（符号３１ｂ）、３Ｌ端子（符号３１ｃ）、３Ｓ端子（符号３１ｄ）、Ｐ３端子（符号３１ｅ）、Ｐ１端子（符号３１ｆ）、および１Ｓ端子（符号３１ｇ）に対応している。また、試験用端子３１ａ−３１ｇは、電力量計１の種類に応じて電力量計１の各外部端子２と当接可能にそのピッチ、数、位置等が定められている。さらに、上部ケース３０の上部ケース本体３５の下面３５ａに、移動ケース２０のガイド孔２３に挿入する２本のガイドピン３２がそれぞれ設けられている。
【００２０】
次に、固定ケース４０について説明する。図１、図２、および図４に示すように、固定ケース４０は、合成樹脂などの非導電性材料からなる固定ケース本体４５と、固定ケース本体４５の一側面側に配置された平坦な端子部４１ａ−４１ｇとを有している。また、各ケーブル取付部４２ａ−４２ｇが固定ケース本体４５の他側面側に設けられ、このケーブル取付部４２ａ−４２ｇは、各端子部４１ａ−４１ｇおよび対応する各ケーブル１４に接続されている。また各ケーブル１４は、固定ケース本体４５に形成された貫通孔４６を介して、上部ケース３０の各試験用端子３１ａ−３１ｇに接続されている（上述）。
【００２１】
ところで、ガイド機構１１は、シャフト１２と、シャフト１２周囲に配置されたバネ１３とを有している。このうちシャフト１２は、一端が固定ケース４０の固定ケース本体４５に固定されるとともに、他端が上部ケース３０の上部ケース本体３５内に摺動自在に貫通されている。したがって、移動ケース２０および上部ケース３０を固定ケース４０側に押圧した場合、移動ケース２０の各連結端子２２ａ−２２ｇは固定ケース４０の各端子部４１ａ−４１ｇに当接する。他方、移動ケース２０および上部ケース３０を固定ケース４０側に押圧するのを止めた場合、移動ケース２０および上部ケース３０は、バネ１３に付勢されて元の位置に戻され、これにより各連結端子２２ａ−２２ｇは各端子部４１ａ−４１ｇから離脱する。
【００２２】
次に、このような構成からなる本実施の形態の作用について述べる。
まず、電力量計１として単相３線式電力量計または三相３線式電力量計の検定試験を行なう場合を考える。
【００２３】
まず、検定試験を行なう電力量計１に対応する電力量計用結線器１０を準備する。すなわち、単相３線式電力量計および三相３線式電力量計に対応する上部ケース３０および固定ケース４０を移動ケース２０に取付ける。この場合、上部ケース３０の各ガイドピン３２を移動ケース２０のガイド孔２３にそれぞれ挿入することにより、上部ケース３０および固定ケース４０を適切な位置に配置することができる。
【００２４】
次に、固定ケース４０上に電力量計１を載置する。この場合、上部ケース３０の各試験用端子３１ａ−３１ｇは電力量計１の各外部端子２から離間した状態にある。
【００２５】
次に、例えばエアシリンダ等を有する押圧機構（図示せず）により、移動ケース２０および上部ケース３０を一体として、固定ケース４０側に押圧する（図５参照）。この場合、上部ケース３０の各試験用端子３１ａ−３１ｇは、電力量計１の各外部端子２にそれぞれ当接する。また同時に、移動ケース２０の各連結端子２２ａ−２２ｇは、固定ケース４０の各端子部４１ａ−４１ｇにそれぞれ当接する。これにより、試験装置の電源側からの接続導線３は、移動ケース２０の電源側端子２１ａ−２１ｇ、連結端子２２ａ−２２ｇ、固定ケース４０の端子部４１ａ−４１ｇ、ケーブル取付部４２ａ−４２ｇ、ケーブル１４、上部ケース３０のケーブル取付部３３ａ−３３ｇ、および試験用端子３１ａ−３１ｇを順次介して電力量計１の各外部端子２に電気的に接続される。
【００２６】
このようにして、電力量計用結線器１０を介して電力量計１と試験装置の電源側とが結線された後、電力量計１の性能試験を行なう。
【００２７】
次に、電力量計１の性能試験が終了した後、上述した押圧機構により移動ケース２０および上部ケース３０を固定ケース４０側に押圧するのを止める。この際、バネ１３の力により移動ケース２０および上部ケース３０が元の位置に戻され、移動ケース２０の各連結端子２２ａ−２２ｇは固定ケース４０の各端子部４１ａ−４１ｇからそれぞれ離脱する。同時に上部ケース３０の各試験用端子３１ａ−３１ｇは、電力量計１の各外部端子２からそれぞれ離脱する。
【００２８】
次に、上述した電力量計１と異なる電力量計１（例えば単相２線式電力量計）の検定試験を行なう場合を考える。この場合、上述した上部ケース３０および固定ケース４０を移動ケース２０から取外し、単相２線式電力量計用の上部ケース３０および固定ケース４０（後述する図６参照）を移動ケース２０に取付ける。この際、上部ケース３０のガイドピン３２を移動ケース２０のガイド孔２３に挿入するのみで済むので、上部ケース３０および固定ケース４０の交換作業が簡単である。
【００２９】
変形例
次に、本実施の形態における電力量計用結線器の変形例を図６により説明する。
図６に示す変形例は、試験用端子３１ａ、３１ｂ、３１ｆ、３１ｇの構成および固定ケース４０が支持凹部４４を有している点が異なっているものであり、他は図１乃至図５に示す電力量計用結線器１０と同一である。
【００３０】
図６に示す電力量計用結線器１０は、単相２線式電力量計の検定試験を行なう際に用いられるものである。この場合、上部ケース３０は４本の試験用端子３１ａ、３１ｂ、３１ｆ、３１ｇを有しており、これら試験用端子３１ａ、３１ｂ、３１ｆ、３１ｇは、それぞれ電力量計１の外部端子２の１Ｌ端子（符号３１ａ）、Ｐ２端子（符号３１ｂ）、Ｐ１端子（符号３１ｆ）、および１Ｓ端子（符号３１ｇ）に対応している。
【００３１】
また、固定ケース４０は、上述した各試験用端子３１ａ、３１ｂ、３１ｆ、３１ｇに対応する４つの端子部４１ａ、４１ｂ、４１ｆ、４１ｇと、各端子部４１ａ、４１ｂ、４１ｆ、４１ｇにそれぞれ接続された４つのケーブル取付部４２ａ、４２ｂ、４２ｆ、４２ｇとを有している。また、固定ケース４０の固定ケース本体４５に、電力量計１を支持する支持凹部４４が設けられている。
【００３２】
このように、本実施の形態によれば、１台の検定試験台で単相２線式電力量計、単相３線式電力量計、および三相３線式電力量計のいずれにも対応でき、結線作業および検定試験台の運用を効率化することができる。すなわち上部ケース３０の試験用端子３１ａ−３１ｇは、電力量計１の種類に応じて電力量計１の外部端子２と当接可能にそのピッチが定められている。したがって、上部ケース３０および固定ケース４０を電力量計１の種類に合わせて交換することにより、１台の検定試験台で効率良く結線作業を行なうことができる。
【００３３】
また、本実施の形態によれば、上部ケース３０にガイドピン３２が設けられ、移動ケース２０に上部ケース３０のガイドピン３２を挿入可能なガイド孔２３が形成されているので、上部ケース３０および固定ケース４０を移動ケース２０に対して容易に着脱でき、また上部ケース３０の試験用端子３１ａ−３１ｇの位置を電力量計１の外部端子２の位置に正確に位置決めすることができる。
【００３４】
さらに、本実施の形態によれば、ガイド機構１１は、シャフト１２と、シャフト１２周囲に配置されたバネ１３とを有しているので、検定試験時に上部ケース３０の試験用端子３１ａ−３１ｇを電力量計１の外部端子２に当接されるとともに、検定試験時以外に上部ケース３０の試験用端子３１ａ−３１ｇを電力量計１の外部端子２から離脱させることができる。
【図面の簡単な説明】
【００３５】
【図１】本考案による電力量計用結線器の一実施の形態を示す平面図。
【図２】本考案による電力量計用結線器の一実施の形態を示す側面図。
【図３】図１のＡ−Ａ線断面図。
【図４】図１のＢ−Ｂ線断面図。
【図５】電力量計と電力量計用結線器とが結線された状態を示す概略側面図。
【図６】本考案の変形例を示す斜視図。
【図７】従来型結線器を示す平面図。
【符号の説明】
【００３６】
１      電力量計
２      外部端子
３      接続導線
４      検定試験台
１０    電力量計用結線器
１１    ガイド機構
１２    シャフト
１３    バネ
１４    ケーブル
２０    移動ケース
２１ａ−２１ｇ  電源側端子
２２ａ−２２ｇ  連結端子
２３    ガイド孔
２５    移動ケース本体
３０    上部ケース
３１ａ−３１ｇ  試験用端子
３２    ガイドピン
３３ａ−３３ｇ  ケーブル取付部
３４    保護カバー
３５    上部ケース本体
３６    貫通孔
４０    固定ケース
４１ａ−４１ｇ  端子部
４２ａ−４２ｇ  ケーブル取付部
４４    支持凹部
４５    固定ケース本体
５０      従来型結線器
５１      ブロック
５２ａ−５２ｇ  電源側端子
５３ａ−５３ｇ  連結端子
【図１】
0003131448.tif 000003
【図２】
0003131448.tif 000004
【図３】
0003131448.tif 000005
【図４】
0003131448.tif 000006
【図５】
0003131448.tif 000007
【図６】
0003131448.tif 000008
【図７】
0003131448.tif 000009